(57)【要約】【課題】精米したままの白米をその後に水で洗う（研ぐ）手間が不要でそのまま炊飯でき、またはさっと洗うだけで炊飯できる無洗白米として装置の利用者に提供することができる自動研米装置を得る。【解決手段】自動研米装置１０では、操作室１２Ａに張込みホツパ１４が設けられており、また、機械室１２Ｂには研米機３８が配置されている。研米機３８は、供給された白米Ｈを受け取り、この白米Ｈを更に研いでその表面に付着している糠粉を取り除き、光沢のあるきれいな無洗白米ＭＨ（水で洗うことなく、またはさっと軽く洗うだけで炊飯できる白米）とすることができる。無洗白米ＭＨが集積タンク２６へ送り出されて袋２７に集積され、装置の利用者に提供される。したがって、装置の利用者のニーズに適切に対応することができる。【選択図】        図１
2004195409.tif 000002
【特許請求の範囲】
【請求項１】
精米処理された後の白米を張り込むための張り込みホッパと、
装置内に投入されたコインまたは挿入されたプリペイドカードに応じて所定時間作動することにより、前記張り込みホッパに張り込まれた前記白米を受け取り前記白米を更に研いで当該白米表面に付着している糠粉を取り除く研米機と、
を備えたことを特徴とする自動研米装置。
【請求項２】
装置内に投入された米粒を精米処理する精米装置に、隣接して設置した、
ことを特徴とする請求項１記載の自動研米装置。
【発明の詳細な説明】
【０００１】
【発明の属する技術分野】
本発明は自動研米装置に関する。
【０００２】
【従来の技術】
投入されたコインに応じて作動し、投入された米粒（玄米あるいは籾）を白米に処理するコイン精米装置が知られており、さらに、コインのみならず挿入されたプリペイドカードに応じても作動する自動精米装置も提案されている。
【０００３】
このような従来の自動精米装置では、機体の内部には精白ロールを備えた精米機が配置されている。また、機体の前面壁には米粒が投入される張込みホツパが設けられており、張込みホツパは昇降機等の搬送機器を介して精米機に連結されている。さらに機体の前面壁には、コイン投入部及びカード挿入部が設けられており、コインを投入できると共にカードが挿入できる。
【０００４】
この自動精米装置では、張込みホツパへ米粒を投入すると共に、コイン投入部へ所定枚数のコインを投入し、またはカード挿入部へプリペイドカードを挿入し、次いで運転スイツチを操作すると、投入された米粒が昇降機等によって搬送されて精米機へ供給され、さらに精米機の精白ロールが回転して精米処理され白米となって取り出される。この自動精米装置の運転は、投入されたコインの金額または挿入されたプリペイドカードの度数に応じた時間で行なわれる。
【０００５】
このように、従来の自動精米装置は、投入されたコインまたは挿入されたプリペイドカードに応じて自動的に精米処理して白米にできる。
【０００６】
なお、コインのみで作動する自動精米装置、プリペイドカードのみで作動する自動精米装置もある。
【０００７】
ところで、このようなコインあるいはプリペイドカードを用いて運転できる自動精米装置では、投入された米粒を精米処理して白米として取り出すことができ、処理された白米はその後に水で洗われ（研がれ）て炊飯され、食用に供されるが、近年、当該装置の利用者はこのような水で洗う（研ぐ）手間を省いて炊飯でき、またはさっと軽く洗うだけで炊飯できる白米、所謂「無洗米」を得たいというニーズがある。
【０００８】
【発明が解決しようとする課題】
本発明は上記事実を考慮し、精米したままの白米をその後に水で洗う（研ぐ）手間が不要でそのまま炊飯でき、またはさっと軽く洗うだけで炊飯できる無洗白米として装置の利用者に提供することができる自動研米装置を得ることが目的である。
【０００９】
【課題を解決するための手段】
請求項１に係る発明の自動研米装置は、精米処理された後の白米を張り込むための張り込みホッパと、装置内に投入されたコインまたは挿入されたプリペイドカードに応じて所定時間作動することにより、前記張り込みホッパに張り込まれた前記白米を受け取り前記白米を更に研いで当該白米表面に付着している糠粉を取り除く研米機と、を備えたことを特徴としている。
【００１０】
請求項１記載の自動研米装置では、精米処理された後の白米は張り込みホッパに張り込まれ、さらに、研米機によって、表面に付着している糠粉が取り除かれ、光沢のあるきれいな白米（水で洗うことなく、またはさっと軽く洗うだけで炊飯できる無洗白米）とされる。この無洗白米が装置外へ取り出され、装置の利用者に提供される。
【００１１】
このように、請求項１記載の自動研米装置では、水で洗う（研ぐ）手間を省いてそのまま炊飯でき、またはさっと軽く洗うだけで炊飯できる無洗白米を得たいという装置の利用者のニーズに対応することができる。
【００１２】
なお、研米機としては種々の型式のものが適用可能であるが、例えば、研米処理を白米同士の研磨作用によって行う摩擦式のタイプ（特開２００１−４６８８９号公報）や、研米処理をブラシによって行うブラシ式のタイプ（特開平２−１３５１５２号公報）が好適である。
【００１３】
請求項２に係る発明の自動研米装置は、請求項１記載の自動研米装置において、装置内に投入された米粒を精米処理する精米装置に、隣接して設置した、ことを特徴としている。
【００１４】
請求項１記載の自動研米装置では、米粒（籾あるいは玄米）を精米処理する精米装置に隣接して設置されているため、籾あるいは玄米を持ち込んだ利用者であってもその場で直ちに精米処理して白米とし、しかる後に直ちに当該白米を研米処理して、無洗白米を得ることができる。
【００１５】
このように、請求項２記載の自動研米装置では、装置の利用者のニーズに一層広範囲に対応することができる。
【００１６】
【実施の形態】
図１には本発明の実施の形態に係る自動研米装置１０の概略全体構成図が示されている。
【００１７】
自動研米装置１０は、操作室１２Ａと機械室１２Ｂから成る屋外用建物１２を備えている。操作室１２Ａの前面壁に、精米された白米Ｈ（籾米あるいは玄米を精米したままのもの）が投入される張込みホツパ１４が操作室１２Ａに露出する状態で設けられている。張込みホツパ１４は米粒搬送用のスクリユウコンベア１５を内蔵しており、張込みホツパ１４へ投入され前記白米Ｈはスクリユウコンベア１５によって機械室１２Ｂの内部へ搬送供給できる。
【００１８】
一方、機械室１２Ｂの内部には、スクリユウコンベア１５の終端部に対応して研米機３８が配置されている。この研米機３８は、スクリユウコンベア１５によって搬送供給された前記白米Ｈを受け取り、この白米Ｈを更に研いでその表面に付着している糠粉を取り除き、光沢のあるきれいな無洗白米ＭＨ（水で洗うことなく、またはさっと軽く洗うだけで炊飯できる白米）とすることができる。
【００１９】
なお、研米機３８としては種々の型式のものが適用可能であるが、乾式タイプのものであれば、研米処理を白米同士の研磨作用によって行う摩擦式のタイプや研米処理をブラシによって行うブラシ式のタイプのものであっても適用できる。
【００２０】
研米機３８の側方には糠回収機２４が配置されており、研米機３８による研米処理の際に発生する糠粉を回収し糠袋２５に集積できる。この糠袋２５は自由に取り替えることが可能である。
【００２１】
また一方、研米機３８によって研米された無洗白米ＭＨの放出口３８Ａに対応して、昇降機４２が立設されている。昇降機４２は、研米機３８の放出口３８Ａから取り出される無洗白米ＭＨを、機械室１２Ｂの上部へ持ち上げ搬送できる。
【００２２】
また、昇降機４２の上端部に設けられた放出口４２Ａに対応した操作室１２Ａの前面壁には、集積タンク２６が操作室１２Ａに露出する状態で配置されており、精米処理及び研米処理後の無洗白米ＭＨを袋２７に集積できる。
【００２３】
一方、操作室１２Ａの前面壁の張込みホツパ１４の上方には操作パネル２８が配置されている。図２に示す如く、操作パネル２８にはコイン金額識別部３０及びカード度数識別部３２が設けられている。コイン金額識別部３０では、操作パネル２８に開口する投入口３４が設けられており、所定のコイン（例えば、１００円硬貨）が投入でき、これを識別可能である。一方、カード度数識別部３２では、操作パネル２８に開口する挿入口３６が設けられており、所定のカード（例えば、所謂クローズド型のプリペイドカード）が挿入でき、これを識別可能である。これらのコイン金額識別部３０及びカード度数識別部３２は後述する制御装置５０に接続されている。
【００２４】
図３には制御装置５０の概略構成が示されている。制御装置５０は、中央処理装置（ＣＰＵ）５２、リードオンリメモリ（ＲＯＭ）５４、ランダムアクセスメモリ（ＲＡＭ）５６、入力ポート５８、出力ポート６０を含んで構成されている。入力ポート５８には前述のコイン金額識別部３０及びカード度数識別部３２が接続されている。一方、出力ポート６０には、張込みホツパ１４のスクリユウコンベア１５、研米機３８、及び昇降機４２の各駆動モータがそれぞれ接続されている。また、ＲＯＭ５４には、自動研米装置１０の満了作動時間の所定の値および所定の運転プログラムが記憶されており、この運転プログラムに従ってＣＰＵ５２が前記各駆動部を制御する。
【００２５】
以上の構成の自動研米装置１０は、図４に示す如く、コイン精米所７０の側方に隣接し独立して設置されている。
【００２６】
コイン精米所７０は、図示は省略するが、建屋内に機械室及び操作室が設けられている。機械室内には籾摺機及び精米機が配置されており、また、操作室内には米粒を投入するための供給ホッパ及び操作盤が設けられている。
【００２７】
このコイン精米所７０を利用する際には、供給ホッパへ米粒（籾または玄米）を投入すると共に操作盤を操作すると、投入された米粒が籾の場合はそのまま籾摺機へ供給されて籾摺り処理された後に、精米機で精米処理され白米となって取り出される。一方、処理する（供給ホッパへ投入した）米粒が玄米の場合には、直接精米機へ供給され、同様に精米処理され白米となって取り出される。
【００２８】
次に本実施の形態の作用を説明する。
【００２９】
上記構成の自動研米装置１０を利用する際には、コインをコイン金額識別部３０の投入口３４へ投入するか、カードをカード度数識別部３２の挿入口３６へ挿入すると共に、張込みホツパ１４へ白米Ｈ（籾米あるいは玄米を精米したままのもの）を投入する。次いで、運転スイツチ（スタートボタン）を操作すると、張込みホツパ１４のスクリユウコンベア１５、研米機３８、及び昇降機４２の各駆動モータが作動されて運転が開始される。
【００３０】
運転が開始されると、張込みホツパ１４へ投入された前記白米Ｈは、スクリユウコンベア１５によって研米機３８へ供給され、この研米機３８によって、この研米機３８によって、当該白米Ｈの表面に付着している糖粉が取り除かれ、光沢のあるきれいな無洗白米ＭＨ（水で洗うことなく、またはさっと軽く洗うだけで炊飯できる白米）とされる。
【００３１】
また、この研米機３８による研米処理の際に発生する糠粉は、糠回収機２４によって回収されて糠袋２５に集積される。
【００３２】
一方、研米機３８によって処理された無洗白米ＭＨは、昇降機４２によって持ち上げ搬送されて集積タンク２６へ送り出され、袋２７に集積されて、装置の利用者に提供される。
【００３３】
以上の工程が順次実施され、投入されたコインまたは挿入されたカードに応じた所定時間経過した後に装置が停止される。
【００３４】
このように、本実施の形態に係る自動研米装置１０では、精米されたままの白米Ｈを更に研米処理して無洗白米ＭＨとし、この無洗白米ＭＨを袋２７に集積して装置の利用者に提供することができる。したがって、装置の利用者のニーズに適切に対応することができる。
【００３５】
またしかも、この自動研米装置１０は、コイン精米所７０の側方に隣接して設置されているため、籾あるいは玄米を持ち込んだ利用者であってもその場で直ちにコイン精米所７０で精米処理して白米Ｈとし、しかる後に直ちに当該白米Ｈを研米処理して、無洗白米ＭＨを得ることができる。したがって、装置の利用者のニーズに一層広範囲に対応することができる。
【００３６】
【発明の効果】
以上説明した如く本発明に係る自動研米装置は、精米したままの白米をその後に水で洗う（研ぐ）手間が不要でそのまま炊飯でき、またはさっと軽く洗うだけで炊飯できる無洗白米として装置の利用者に提供することができるという優れた効果を有している。
【図面の簡単な説明】
【図１】本発明の実施の形態に係る自動研米装置の概略全体構成図である。
【図２】本発明の実施の形態に係る自動研米装置の操作パネルの正面図である。
【図３】本発明の実施の形態に係る自動研米装置の制御装置の構成図である。
【図４】本発明の実施の形態に係る自動研米装置の設置状態を示す正面図である。
【符号の説明】
１０    自動研米装置
１４    張込みホツパ
３８    研米機
４２    昇降機
Ｈ      白米
ＭＨ    無洗白米
【図１】
2004195409.tif 000003
【図２】
2004195409.tif 000004
【図３】
2004195409.tif 000005
【図４】
2004195409.tif 000006